(57)【要約】【課題】太陽電池の普及や市場の活性化、或は廃棄物の削減・資源の有効利用等に貢献すること。【解決手段】コンピュータにより、現在の太陽電池の「Ｗ単価」と中古太陽電池の「定格値」から新品相当価格を算出する手段と、前記新品相当価格と前記中古太陽電池の「経過年数係数」から中古価格を算出する手段を有することを特徴とする。又、コンピュータにより、現在の太陽電池の「Ｗ単価」と中古太陽電池の「定格値」から新品相当価格を算出する手段と、前記新品相当価格と前記中古太陽電池の「経過年数係数」と前記中古太陽電池の「劣化率」から中古価格を算出する手段を有することを特徴とする。【選択図】図１
2005149077.tif 000002
【特許請求の範囲】
【請求項１】
コンピュータにより中古太陽電池の中古価格を算出するプログラムであって、現在の太陽電池の「Ｗ単価」と前記中古太陽電池の新品時の出力特性である「定格値」から新品相当価格を算出する工程と、前記新品相当価格と前記中古太陽電池の経過年数から導出される「経過年数係数」から中古価格を算出する工程を実行させることを特徴とする中古価格算出プログラム。
【請求項２】
中古価格算出に用いる計算式に、「Ｗ単価」×「定格値」×「経過年数係数」を用いることを特徴とする請求項１記載の中古価格算出プログラム。
【請求項３】
中古価格を算出する工程に、更に太陽電池の種類による出力低下率、或は気象条件による出力低下率、あるいは設置地域による出力低下率、或はこれらの組み合わせから導出される「劣化率」を用いることを特徴とする請求項１記載の中古価格算出プログラム。
【請求項４】
中古価格算出に用いる計算式に、「Ｗ単価」×「定格値」×「経過年数係数」×「劣化率」を用いることを特徴とする請求項３記載の中古価格算出プログラム。
【請求項５】
コンピュータにより中古太陽電池の中古価格を算出するシステムであって、現在の太陽電池の「Ｗ単価」と前記中古太陽電池の新品時の出力特性である「定格値」から新品相当価格を算出する手段と、前記新品相当価格と前記中古太陽電池の経過年数から導出される「経過年数係数」から中古価格を算出する手段を実行させることを特徴とする中古価格算出システム。
【請求項６】
中古価格算出に用いる計算式に、「Ｗ単価」×「定格値」×「経過年数係数」を用いることを特徴とする請求項５記載の中古価格算出システム。
【請求項７】
中古価格を算出する手段に、更に太陽電池の種類による出力低下率、或は気象条件による出力低下率、或は設置地域による出力低下率、或はこれらの組み合わせから導出される「劣化率」を用いることを特徴とする請求項５記載の中古価格算出システム。
【請求項８】
中古価格算出に用いる計算式に、「Ｗ単価」×「定格値」×「経過年数係数」×「劣化率」を用いることを特徴とする請求項７記載の中古価格算出システム。
【請求項９】
インターネットを通じて、中古太陽電池の売却を希望する売主と中古太陽電池の買取を希望する買主に対して情報を提供する中古太陽電池取引プログラムであって、
売主がコンピュータ端末を通じて入力する、売却希望の中古太陽電池に関する中古品情報に基づいて請求項５記載の中古価格算出システムにより該中古太陽電池の中古価格を算出する工程を有する第１ステップと、
買主がコンピュータ端末を通じて、第１ステップで入力された中古品情報と第１ステップで算出された中古価格が表示される中古品一覧を閲覧して買取候補の中古太陽電池を選択する工程と、
前記買取候補の中古太陽電池について、第１ステップで入力された中古品情報と、買主がコンピュータ端末を通じて入力する買主に関する買主情報に基づいて期待発電量を算出する工程とを有する第２ステップから成り、第１ステップと第２ステップを実行させる工程を有することを特徴とする中古太陽電池取引プログラム。
【請求項１０】
第１ステップで、更に「劣化率」を用いて該中古太陽電池の中古価格を算出する工程を有することを特徴とする請求項９記載の中古太陽電池取引プログラム。
【請求項１１】
インターネットを通じて、中古太陽電池の売却を希望する売主と中古太陽電池の買取を希望する買主に対して情報を提供する中古太陽電池取引システムであって、
売主がコンピュータ端末を通じて入力する、売却希望の中古太陽電池に関する中古品情報に基づいて、請求項５に記載の中古価格算出システムにより該中古太陽電池の中古価格を算出する手段を有する第１ステップと、
買主がコンピュータ端末を通じて、第１ステップで入力された中古品情報と第１ステップで算出された中古価格が表示される中古品一覧を閲覧し、買取候補の中古太陽電池を選択する手段と、
前記買取候補の中古太陽電池について、第１ステップで入力された中古品情報と、買主がコンピュータ端末を通じて入力する買主に関する買主情報に基づいて、期待発電量を算出する手段とを有する第２ステップから成り、第１ステップと第２ステップを実行させる手段を有することを特徴とする中古太陽電池取引システム。
【請求項１２】
第１ステップで、更に「劣化率」を用いて該中古太陽電池の中古価格を算出する手段を有することを特徴とする請求項１１記載の中古太陽電池取引システム。
【発明の詳細な説明】
【技術分野】
【０００１】
本発明は、中古太陽電池の中古価格算出プログラム、中古価格算出システム及びこれを用いた中古太陽電池取引プログラム、中古太陽電池取引システムに関する。
【背景技術】
【０００２】
中古自動車の売買システムにおいて、売却希望の中古車の車種、年式、仕様、状態等の情報により売買予測価格を予測し、これを用いて売買の補助とする技術が特許文献１に開示示されている。
【０００３】
【特許文献１】特開２００１−１５５１０６号公報
【発明の開示】
【発明が解決しようとする課題】
【０００４】
中古車等の中古価格を算出するシステム、或は中古車等を取引するシステムは既に存在するが、中古太陽電池の中古価格の算出、或は中古太陽電池の取引において、これらのシステムを流用することはできない。なぜならば、太陽電池の価格決定要素にはＷ単価や劣化率といった独特の概念があり、これを用いなければ正確な中古太陽電池の中古価格を算出することはできず、延いては適正な中古太陽電池の取引も行えないからである。
【０００５】
本発明は、中古太陽電池の中古価格をより正確に算出するシステム、及び前記システムを用いた中古太陽電池の取引システムを提供することにより、太陽電池の普及や市場の活性化、或は廃棄物の削減・資源の有効利用等に貢献することを目的とする。
【課題を解決するための手段】
【０００６】
上記目的を達成するために、本発明の１つの側面は、コンピュータにより、現在の太陽電池の「Ｗ単価」と中古太陽電池の「定格値」から新品相当価格を算出する手段と、前記新品相当価格と前記中古太陽電池の「経過年数係数」から中古価格を算出する手段を有することを特徴とする。
【０００７】
又、上記発明において別の態様は、コンピュータにより、現在の太陽電池の「Ｗ単価」と中古太陽電池の「定格値」から新品相当価格を算出する手段と、前記新品相当価格と前記中古太陽電池の「経過年数係数」と前記中古太陽電池の「劣化率」から中古価格を算出する手段を有することを特徴とする。
【０００８】
又、上記目的を達成するために、本発明の別の側面は、売主がコンピュータ端末を通じて入力する、売却希望の中古太陽電池に関する中古品情報に基づいて、現在の太陽電池の「Ｗ単価」と前記中古太陽電池の「定格値」から新品相当価格を算出する手段と、前記新品相当価格と前記中古太陽電池の「経過年数係数」から該中古太陽電池の中古価格を算出する手段を有する第１ステップと、
買主がコンピュータ端末を通じて、第１ステップで入力された中古品情報と第１ステップで算出された中古価格が表示される中古品一覧を閲覧し、買取候補の中古太陽電池を選択する手段と、
前記買取候補の中古太陽電池について、第１ステップで入力される中古品情報と、買主がコンピュータ端末を通じて入力する買主に関する買主情報に基づいて、期待発電量を算出する手段とを有する第２ステップから成り、第１ステップと第２ステップを実行させる手段を有することを特徴とする。
【０００９】
又、上記発明において別の態様は、売主がコンピュータ端末を通じて入力する、売却希望の中古太陽電池に関する中古品情報に基づいて、現在の太陽電池の「Ｗ単価」と前記中古太陽電池の「定格値」から新品相当価格を算出する手段と、前記新品相当価格と前記中古太陽電池の「経過年数係数」と前記中古太陽電池の「劣化率」から該中古太陽電池の中古価格を算出する手段を有する第１ステップと、
買主がコンピュータ端末を通じて、第１ステップで入力された中古品情報と第１ステップで算出された中古価格が表示される中古品一覧を閲覧し、買取候補の中古太陽電池を選択する手段と、
前記買取候補の中古太陽電池について、第１ステップで入力される中古品情報と、買主がコンピュータ端末を通じて入力する買主に関する買主情報に基づいて、期待発電量を算出する手段とを有する第２ステップから成り、第１ステップと第２ステップを実行させる手段を有することを特徴とする。
【発明の効果】
【００１０】
本発明によれば、価格決定要素にＷ単価や劣化率といった独特の概念を有する太陽電池について、その中古価格をより正確に算出できるようになり、延いては適正な中古太陽電池の取引が行えるようになる。これによって、太陽電池の普及や市場の活性化、或は廃棄物の削減・資源の有効利用等に貢献することができる。
【発明を実施するための最良の形態】
【００１１】
以下、図面を参照して本発明の実施の形態を説明する。しかしながら、斯かる実施の形態が本発明の技術的範囲を限定するものではない。
【００１２】
＜実施の形態１＞
図１は本発明を適用した中古太陽電池の中古価格算出システムの実施の形態の構成図である。図中の中古価格算出システム１が、本発明を適用したシステムであり、コンピュータにより、入力端末から入力される情報と格納されたデータベースを用いて中古太陽電池の中古価格を算出する。
【００１３】
前記中古価格算出システム１は、図１に示すように、コンピュータ２、入力端末３、コンピュータ２内部に格納されたデータベース４等から構成されている。コンピュータ２は、入力端末３から入力される情報と格納されたデータベース４を照合して、中古価格の算出に用いるパラメータである価格算出パラメータを導出し、前記価格算出パラメータにより中古価格を算出する機能を有している。価格算出パラメータとは、具体的には、「Ｗ単価」、「定格値」、「経過年数係数」、「劣化率」等である。
【００１４】
入力端末３は、コンピュータ２に情報を入力する機能を有しており、中古価格の算出に必要な情報である中古品情報は本端末から入力される。中古品情報とは、具体的には、中古太陽電池のメーカ名・型式、設置後の経過年数、設置地域等である。
【００１５】
又、データベース４は、コンピュータ２内部に格納されたデータベースであり、中古価格の算出に必要な各種データベースを保有している。中古価格の算出に必要な各種データベースを保有ＤＢと称するが、具体的には、Ｗ単価ＤＢ、定格値ＤＢ、期待寿命ＤＢ、気象データＤＢ、劣化率ＤＢ等である。
【００１６】
前記保有ＤＢの１つであるＷ単価ＤＢには、メーカ名・型式から分類される単結晶、多結晶、アモルファス、或は積層型等の太陽電池の種類毎に、現在の市場において一般的に認識される単位発電量当りの平均価格が登録されている。
【００１７】
前記保有ＤＢの１つである定格値ＤＢには、メーカ名・型式毎に、太陽電池の新品時の出力特性が登録されている。
【００１８】
前記保有ＤＢの１つである期待寿命ＤＢには、メーカ名・型式毎に、太陽電池の新品時の期待寿命が登録されている。
【００１９】
前記保有ＤＢの１つである気象データＤＢには、地域毎に、気象庁アメダスの積算日射量と平均気温が登録されている。
【００２０】
前記保有ＤＢの１つである劣化率DBには、メーカ名・型式から分類される単結晶、多結晶、アモルファス、或は積層型等の太陽電池の種類毎に、経過年数に応じた太陽電池の種類毎の出力低下率、積算日射量や平均気温による出力低下率、設置地域毎の塩害等の程度による出力低下率等が登録されている。
【００２１】
前記価格算出パラメータの１つである「Ｗ単価」は、入力端末３より入力される中古品情報のメーカ名・型式を用いて、データベース４が保有するＷ単価ＤＢを参照して導出される。
【００２２】
前記価格算出パラメータの１つである「定格値」は、入力端末３より入力される中古品情報のメーカ名・型式を用いて、データベース４が保有する定格値ＤＢを参照して導出される。
【００２３】
前記価格算出パラメータの１つである「経過年数係数」は、入力端末３より入力される中古品情報のメーカ名・型式、設置後の経過年数を用いて、データベース４が保有する期待寿命ＤＢを参照し、該中古太陽電池の期待寿命から設置後の経過年数を差し引いた値の期待寿命に対する割合として導出される。
【００２４】
前記価格算出パラメータの１つである「劣化率」は、入力端末３より入力される中古品情報のメーカ名・型式、設置後の経過年数、設置地域を用いて、データベース４が保有する気象データＤＢと劣化率ＤＢを参照して導出される。
【００２５】
取り分け、設置位置、設置角度、設置期間のデータと地域毎の気象データから、個別に「劣化率」を導出するようにすると、より正確な値を得ることができるので好ましい。
【００２６】
本中古価格算出システム１は、上記導出された価格算出パラメータを用いて、計算式「Ｗ単価」×「定格値」×「経過年数係数」×「劣化率」により、中古太陽電池の中古価格を算出する。
【００２７】
一例として、上記計算式に具体的な数値等を当て嵌めて試算してみる。先ず、「劣化率」について、太陽電池の種類による経時的な出力低下率を１０％、積算日射量と平均気温による出力低下率を１０％、塩害等の程度による出力低下率を０％とした場合、式：０. ９×０. ９×１より０. ８１が導出される。
【００２８】
次に、「経過年数係数」について、期待寿命を２０年、設置後の経過年数を１０年とした場合、式：（２０−１０）／２０より０．５が導出される。
【００２９】
勿論、「経過年数係数」は、期待寿命を用いないで、設置後の経過年数に応じた一定の低減率を用いて導出しても良い。
【００３０】
更に、「Ｗ単価」を「２００円／Ｗ」、「定格値」を「１００Ｗ」とした場合、これらの数値を前記計算式に当て嵌めると、式：２００×１００×０．５×０. ８１より、８１００円が算出される。
【００３１】
図２は本中古価格算出システム１において、中古価格を算出する際の処理フローの一例を示した図である。
【００３２】
先ず、入力端末３から、コンピュータ２に中古太陽電池の中古価格を算出するために必要な情報である中古品情報を入力する（Ｓ２０１）。
【００３３】
コンピュータ２は、前記中古品情報の入力を受けて、内部に格納されたデータベース４の保有ＤＢを参照する（Ｓ２０２）。
【００３４】
コンピュータ２は、前記保有ＤＢを参照して、中古価格の算出に用いる価格算出パラメータを導出する（Ｓ２０３）。
【００３５】
コンピュータ２は、前記価格算出パラメータを用いて中古価格を算出する（Ｓ２０４）。
【００３６】
以上説明したように、本中古価格算出システム１により、価格決定要素にＷ単価や劣化率といった独特の概念を有する太陽電池について、その中古価格をより正確に算出できるようになる。
【００３７】
＜実施の形態２＞
以下、図面を参照して本発明の実施の形態２を説明する。しかしながら、斯かる実施の形態が本発明の技術的範囲を限定するものではない。
【００３８】
図３は本発明を適用した中古太陽電池取引システムの実施の形態の構成図である。図中の中古太陽電池取引システム５が、本発明を適用したシステムであり、インターネット６を通じて、中古太陽電池の売却を希望する売主と中古太陽電池の買取を希望する買主の双方へ中古太陽電池の取引に関する有益な情報を提供する。
【００３９】
図３の売主８は、上記中古太陽電池の売却を希望する個人或は団体であり、パーソナルコンピュータ等で構成された売主端末７により、インターネット６を通じて中古太陽電池取引システム５にアクセスするとともに、中古太陽電池取引システム５から情報提供を受ける。尚、図示していないが、売主８及び売主端末７は複数存在している。
【００４０】
又、図３の買主１０は、売主８と同様に、パーソナルコンピュータ等で構成された買主端末９により、インターネット６を通じて中古太陽電池取引システム５にアクセスするとともに、中古太陽電池取引システム５から情報提供を受ける。尚、図示していないが、買主１０及び買主端末９も複数存在している。
【００４１】
前記中古太陽電池取引システム５は、図３に示すように、ＤＢサーバ２０、システムサーバ３０、Ｗｅｂサーバ４０、メールサーバ５０等から構成されている。ＤＢサーバ２０は、売主８と買主１０から送信される情報や中古価格算出システム３１と期待発電量算出システム３２で算出される数値を格納・管理するサーバであり、中古品ＤＢ２１と買主ＤＢ２２を有している。
【００４２】
中古品ＤＢ２１は、売主８により売主端末７から入力される売却希望の中古太陽電池に関する情報や中古価格算出システム３１で算出される該中古太陽電池の中古価格等を格納するデータベースであり、具体的には、該中古太陽電池のメーカ名・型式、設置後の経過年数、設置地域、売主８の氏名・連絡先、中古価格等の情報が収められる。
【００４３】
又、買主DB２２には、買主１０により買主端末９から入力される買主に関する情報や期待発電量算出システム３２で算出される買取希望の中古太陽電池の期待発電量等を格納するデータベースであり、具体的には、買主が該中古太陽電池を設置する地域、設置方位、設置角度、買主１０の氏名・連絡先、期待発電量等が収められる。
【００４４】
次に、システムサーバ３０は、中古太陽電池の中古価格を算出するシステムと中古太陽電池の期待発電量を算出するシステムを格納・管理するサーバであり、中古価格算出システム３１と期待発電量算出システム３２を有している。
【００４５】
中古価格算出システム３１は、売主８により売主端末７から入力される売却希望の中古太陽電池に関する情報に基づいて、実施の形態１に記載した方法により該中古太陽電池の中古価格を算出する。
【００４６】
又、期待発電量算出システム３２は、中古品ＤＢ２１のデータと買主１０により買主端末９から入力される買主に関する情報に基づいて、該中古太陽電池の期待発電量を算出する。期待発電量の算出方法として、例えば特開平１１−５４７７６号公報に記載された方法が用いられる。
【００４７】
次に、Ｗｅｂサーバ４０には、中古太陽電池取引システム５が情報を提供する際の売主８及び買主１０とのインターフェイスを成すＷｅｂページ４１が備えられている。Ｗｅｂページ４１には、トップページをはじめ各機能毎に複数のページが用意されている。
【００４８】
又、メールサーバ５０は、電子メールの送受信のためのサーバであり、必要に際して売主８及び買主１０に電子メールを送信する。
【００４９】
図４は中古太陽電池取引システム５において情報を提供する際の処理フローの一例を示した図である。
【００５０】
先ず、売主８は、本情報提供を受けるために、売却を希望する中古太陽電池に関する情報、即ち中古品情報を中古太陽電池取引システム５に登録する。そのために、売主端末７から中古太陽電池取引システム５のＷｅｂページ４１にアクセスし、中古品情報を登録したい旨要求する（Ｓ４０１）。
【００５１】
その要求に応じて、中古太陽電池取引システム５は中古品情報登録ページを売主８に送信し（Ｓ４０２）、売主８は、売主端末７に表示された中古品情報登録ページに対して中古品情報を入力する（Ｓ４０３）。登録される中古品情報には、売却希望の中古太陽電池の中古価格を算出するために必要な情報や売主８に連絡を取るために必要な情報、具体的には該中古太陽電池のメーカ名・型式、設置後の経過年数、設置地域や売主８の氏名・連絡先等が含まれる。
【００５２】
上記入力された中古品情報は、中古太陽電池取引システム５に送信され、実施の形態１に記載した中古価格算出システムにより中古価格算出処理が行われる（Ｓ４０４）。算出された中古価格情報は、前記中古品情報と共に中古品ＤＢ２１に登録され（Ｓ４０５）、中古太陽電池取引システム５は、該中古価格情報と該中古品情報を含む中古品ページを売主８に送信する（Ｓ４０６）。
【００５３】
売主８は、売主端末７に表示された中古品ページの内容を確認し（Ｓ４０７）、問題がなければＹｅｓを選択して終了する（Ｓ４０８）。尚、中古品情報の入力ミス等があった場合には、Ｎｏを選択して中古品情報登録ページに戻る（Ｓ４０２）。
【００５４】
次に、買主１０は、中古太陽電池を買取りたい場合に中古太陽電池取引システム５にアクセスする。先ず、買主１０は買主端末９から中古太陽電池取引システム５のＷｅｂページ４１にアクセスし、前記中古品ＤＢ２１に登録された該中古価格情報と該中古品情報を一覧にした中古品一覧を閲覧したい旨要求する（Ｓ４０９）。
【００５５】
要求を受けた中古太陽電池取引システム５は、中古品一覧を買主端末９に送信し（Ｓ４１０）、買主１０は、買主端末９に表示された中古品一覧を閲覧し、買取候補を選択する（Ｓ４１１）。
【００５６】
その選択に応じて、中古太陽電池取引システム５は買主情報登録ページを買主１０に送信し（Ｓ４１２）、買主１０は、買主端末９に表示された買主情報登録ページに対して買主情報を入力する（Ｓ４１３）。入力される買主情報には、買取候補の中古太陽電池の期待発電量を算出するために必要な情報や買主１０に連絡を取るために必要な情報、具体的には、買主が該中古太陽電池を設置する地域、設置方位、設置角度や買主１０の氏名・連絡先等が含まれる。
【００５７】
上記入力された買主情報は、中古太陽電池取引システム５に送信され、期待発電量算出システム３２により期待発電量算出処理が行われる（Ｓ４１４）。算出された期待発電量情報は、買主１０が入力した買主情報、並びに前記中古品ＤＢ２１に登録された該中古品情報と該中古価格情報と共に買主ＤＢ２２に登録され（Ｓ４１５）、中古太陽電池取引システム５は、該期待発電量と該中古品情報と該中古価格情報を含む買取品ページを買主１０に送信する（Ｓ４１６）。
【００５８】
買主１０は、買主端末９に表示された買取品ページの内容を確認し（Ｓ４１７）、買取る場合はＹｅｓを選択する（Ｓ４１８）。尚、期待発電量が思いの他低かった等の場合には、Ｎｏを選択して中古品一覧に戻る（Ｓ４１０）。
【００５９】
買取要求を受けた中古太陽電池取引システム５は、売主８に対して、メールサーバ５０から買取要求があった旨電子メールを送信する（Ｓ４１９）。
【００６０】
当該電子メールを受信した売主８は、売却する旨電子メールにて返信し（Ｓ４２０）、当該返信を受けた中古太陽電池取引システム５は、売主８と買主１０に対して、メールサーバ５０から売主８と買主１０双方の氏名と連絡先を売主８と買主１０双方に電子メールにて送信する（Ｓ４２１）。
【００６１】
例えば売主８が、買取要求があった場合には必ず売却する旨を予め登録しておくことにより、電子メールによる売却意志の確認（Ｓ４１９，Ｓ４２０）を省略することも可能である。
【００６２】
以上説明したように、本中古太陽電池取引システム５により、価格決定要素にＷ単価や劣化率といった独特の概念を有する太陽電池について、その中古価格をより正確に算出できるようになり、延いては適正な中古太陽電池取引が行えるようになる。
【００６３】
本発明の保護範囲は、上記の実施の形態に限定されず、特許請求の範囲に記載された発明とその均等物に及ぶものである。
【産業上の利用可能性】
【００６４】
本発明は、中古太陽電池の中古価格算出プログラム、中古価格算出システム及びこれを用いた中古太陽電池取引プログラム、中古太陽電池取引システムに対して適用して前記効果を奏することができる。
【図面の簡単な説明】
【００６５】
【図１】本発明に係る中古太陽電池の中古価格算出システムの実施の形態の構成図である。
【図２】中古太陽電池の中古価格算出システム１において、中古価格を算出する際の処理フローの一例を示した図である。
【図３】本発明に係る中古太陽電池取引システムの実施の形態の構成図である。
【図４】中古太陽電池取引システム５において、情報を提供する際の処理フローの一例を示した図である。
【符号の説明】
【００６６】
１      中古価格算出システム
２      コンピュータ
３      入力端末
４      データベース
５      中古太陽電池取引システム
６      インターネット
７      売主端末
８      売主
９      買主端末
１０    買主
２０    ＤＢサーバ
２１    中古品ＤＢ
２２    買主ＤＢ
３０    システムサーバ
３１    中古価格算出システム
３２    期待発電量算出システム
４０    Ｗｅｂサーバ
４１    Ｗｅｂページ
５０    メールサーバ
【図１】
2005149077.tif 000003
【図２】
2005149077.tif 000004
【図３】
2005149077.tif 000005
【図４】
2005149077.tif 000006